(57)【特許請求の範囲】
【請求項１】
周波数が異なる複数の搬送波のそれぞれに多重化された番組の中からいずれかを選択して受信番組の切り替えを行う多重放送受信機であって、
異なる搬送波周波数に含まれる番組間で切り替えを行う場合に、番組の切り替え動作が終了するまでの間、新たな番組切り替え指示の受け付けを制限することを特徴とする多重放送受信機。
【請求項２】
周波数が異なる複数の搬送波のそれぞれに多重化された番組の中からいずれかを選択して受信番組の切り替えを行う多重放送受信機であって、
所定の操作に応じて受信番組の切り替え指示を行う番組切替指示手段と、
複数の前記番組の中からいずれかを選択して受信するとともに、前記番組切替指示手段によって受信番組の切り替えが指示されたときに、受信対象となる番組の切り替えを行う番組受信手段と、
前記番組切替指示手段による受信番組の切り替え指示に応じて、前記番組受信手段によって異なる搬送波周波数間で受信番組の切り替えが行われる場合に、前記所定の操作に対応したその後の受信番組の切り替え指示の受け付けを制限する指示受付制限手段と、
を備えることを特徴とする多重放送受信機。
【請求項３】
請求項２において、
前記指示受付制限手段は、前記番組受信手段による受信番組の切り替え動作が終了するまでの間、次の受信番組の切り替え指示の受け付けを行わないことを特徴とする多重放送受信機。
【請求項４】
請求項２または３において、
前記番組受信手段によって異なる搬送波周波数間で受信番組の切り替え動作が行われている旨の情報を出力する切り替え情報出力手段をさらに備え、
前記指示受付手段は、前記切り替え情報出力手段によって前記情報が出力された後に、所定時間内に前記所定の操作が繰り返しなされた場合に、前記切り替え指示の受け付け制限を解除することを特徴とする多重放送受信機。
【請求項５】
請求項２または３において、
所定の操作に応じて搬送波周波数の切り替え指示を行う周波数切替指示手段をさらに備え、
前記番組受信手段は、異なる搬送波周波数間で受信番組の切り替え動作を行っているときに、前記周波数切替指示手段による搬送波周波数の切り替え指示がなされた場合に、さらに次の搬送波周波数に含まれる番組への切り替えを行うことを特徴とする多重放送受信機。
【請求項６】
請求項２〜５のいずれかにおいて、
前記指示受付制限手段は、デジタルオーディオ放送用の受信信号フレームの高速情報チャネルに含まれる情報に基づいて、前記切り替え指示の受け付け制限の要否を判定することを特徴とする多重放送受信機。
【発明の詳細な説明】
【０００１】
【発明の属する技術分野】
本発明は、異なる周波数の搬送波のそれぞれに多重化された複数の番組の中からいずれかを選択する多重放送受信機に関する。
【０００２】
【従来の技術】
今日、デジタルオーディオは、その優れた特性と使いやすさから一般に認められ、急速に普及してきている。このような背景から、オーディオ放送のデジタル化の動きが活発になってきており、デジタルオーディオ放送ＤＡＢ（Digital Audio Broadcasting）が欧州で実用化されている。
【０００３】
このようなＤＡＢ用の受信機（ＤＡＢ受信機）は、通常のＶＨＦ／ＦＭ受信機に比べて構成がかなり複雑になるが、それを補って余りある多くの利点がある。例えば、移動する自動車の中でもＣＤ並みの音質が確保できる、多くの放送番組を受信できる、複数の言語で番組を放送できる、天候や交通情報を絶え間なく受信できる、音声や映像による広告を受信できるなどの利点がある。
【０００４】
現在のＤＡＢの各放送チャンネルは、テレビジョン放送の各チャンネルに割り当てられた受信周波数間の空き周波数が利用されており、全体で６４チャンネル分が用意されている。各放送チャンネルに対応した搬送波周波数群をアンサンブルといい、各アンサンブルには６〜８の放送番組（サービス）が多重化されている。
【０００５】
図７は、従来のＤＡＢ受信機における番組切り替えの一例を示す図である。同図に示すように、アンサンブル１には番組１〜５が、アンサンブル２には番組６〜８が、アンサンブル３には番組９〜１２がそれぞれ多重化されているものとする。受信番組を切り替える場合には、例えば、リモートコントロール（リモコン）ユニットのアップキーやダウンキーを押下することにより、番組１から番組１２まで順次切り替えることができ、利用者は、アンサンブルを意識することなく、番組切り替えの操作だけで複数のアンサンブルのそれぞれに多重化された番組の中から所望の番組を選択して受信することができる。
【０００６】
上述したＤＡＢ受信機において、受信番組を同一アンサンブル内の他の番組に切り替える場合（例えば、図７の番組１から番組２に切り替える場合）には、例えばアップキーを押下すれば短時間で番組が切り替えられる。このため、同一のアンサンブル内であれば、利用者はアップキーを連続的に押下して次々に番組を切り替えて所望の番組を選択することができる。これに対し、受信番組を他のアンサンブルに含まれる他の番組に切り替える場合（例えば、図７の番組５から番組６に切り替える場合）には、搬送波周波数の切り替え動作が行われるため、アップキーを押下しても受信番組は瞬時には切り替わらず、ある程度の時間（例えば２〜３秒程度）を要することになる。
【０００７】
【発明が解決しようとする課題】
ところで、上述したように、利用者は通常、アンサンブルを意識せず操作するため、異なるアンサンブルに含まれる番組に切り替える場合も、同一アンサンブル内の他の番組に切り替える場合と同じようにアップキーやダウンキーを連続的に押下することが多い。このような場合には、受信機が切り替え先のアンサンブルに含まれる番組を認識する前に切り替えが指示されるため、さらに次のアンサンブルに切り替わってしまうことがあり、所望の番組を受信することができないおそれがあった。例えば図７において、番組５から番組６に切り替わる際に、アンサンブル１からアンサンブル２への搬送波周波数の切り替え動作が行われるが、この切り替え動作中にアップキーが押下されると、さらにアンサンブル３への搬送波周波数の切り替え動作が行われてしまう場合があり、このためにアンサンブル２に所望の番組が含まれていても受信できないおそれがあった。このような状態でさらにアップキーを押下し続けると、次々にアンサンブルが切り替わるだけで各アンサンブルに含まれる番組がいつまでも受信できない事態も起こりうる。
【０００８】
本発明は、このような点に鑑みて創作されたものであり、その目的は、所望の番組を確実に受信することができる多重放送受信機を提供することにある。
【０００９】
【課題を解決するための手段】
上述した課題を解決するために、本発明の多重放送受信機は、複数の搬送波のそれぞれに多重化された番組の中からいずれかを選択して受信番組の切り替えを行う際に、異なる搬送波周波数に含まれる番組間で切り替えを行う場合には、番組の切り替え動作が終了するまでの間、新たな番組切り替え指示の受け付けを制限している。
【００１０】
具体的には、上述した多重放送受信機は、番組切替指示手段と、番組受信手段と、指示受付制限手段とを備えており、番組切替指示手段による番組の切り替え指示に応じて、番組受信手段によって異なる搬送波周波数間で受信番組の切り替えが行われる場合に、その番組切り替え動作が終了するまでの間、指示受付制限手段によって新たな番組切り替え指示の受け付けが制限される。このように、異なる搬送波周波数間で受信番組が切り替わる際には、利用者の操作による番組切り替え指示の受け付けが制限されるため、切り替え先の搬送波周波数に含まれる番組が識別される前に新たな番組の切り替え指示がなされて、さらに次の搬送波周波数に切り替わってしまうということがなく、利用者は各搬送波周波数に含まれる番組を確認した後に所望の番組を確実に受信することができる。
【００１１】
また、上述したように異なる搬送波周波数間で受信番組の切り替え動作が行われているときに、意識的にさらに次の搬送波周波数に切り替えたい場合もあるが、この切り替え動作は、異なる搬送波周波数間で受信番組の切り替え動作が行われている旨の何らかの情報を出力した後に（例えばブザーを鳴らした後に）利用者によって所定時間内に所定の操作が繰り返し行われた場合に限って、あるいは搬送波周波数の切り替え指示をおこなうための所定の操作が利用者によってなされた場合に限って行うことが好ましい。このように、番組切り替え指示の受け付けが制限されている場合であっても、利用者によって特定の操作が行われた場合には、さらに次の搬送波周波数に切り替えることにより、受信番組を迅速に切り替えて、所望の番組を受信するまでの時間を短縮することができる。
【００１２】
また、上述した多重放送受信機がデジタルオーディオ放送用である場合には、指示受付制限手段は、受信信号フレームの高速情報チャネルに含まれる情報に基づいて、番組の切り替え指示の受け付け制限の要否を判定することが好ましい。この高速情報チャネルには、各搬送波周波数の番組（サービス）の構成情報等が含まれているため、これを解析することによって、次に切り替える番組が同じ搬送波周波数に含まれるか否かがわかり、受け付け制限が必要か否かが容易に判断できる。
【００１３】
【発明の実施の形態】
本発明の多重放送受信機を適用した一実施形態のＤＡＢ受信機は、受信番組を切り替える際に、現在受信中の番組が含まれるアンサンブルと異なるアンサンブルに含まれる他の番組に切り替える場合には、その切り替え動作が終了するまでの間、利用者からの番組切り替え指示を受け付けないことに特徴がある。以下、本発明を適用した一実施形態のＤＡＢ受信機について、図面を参照しながら説明する。
【００１４】
図１は、本発明を適用した一実施形態のＤＡＢ受信機の構成を示す図である。同図に示すＤＡＢ受信機１は、アンテナ２、フロントエンド部（Ｆ／Ｅ）４、ＤＡＢデコード部６、オーディオデコード部８、デジタル−アナログ変換器（Ｄ／Ａ変換器）１０、アンプ１２、スピーカ１４、制御部１６、ブザー１８、操作部２０、表示部２２を含んで構成されている。
【００１５】
フロントエンド部４は、アンテナ２を介して受信した信号の中から所望の受信周波数（同調周波数）成分を抽出するとともに、この抽出した信号に対して周波数変換を行った中間周波数信号を出力する。また、フロントエンド部４は、この中間周波信号をＡＭ検波した受信電界強度信号を制御部１６に向けて出力する。ＤＡＢデコード部６は、フロントエンド部４から出力される中間周波信号に対して、直交復調処理、ＦＦＴ（高速フーリエ変換）復調処理、復号処理を行って、インタリーブされた送信データを復調し、さらにこのインタリーブを解いて元のデータ列に戻した後に誤り検出訂正処理を行って、多重化された放送番組のシンボル位置を示す各アンサンブルのサービスリスト等を含む高速情報チャネルＦＩＣや復号データ（ＭＰＥＧオーディオデータ）からなるデータフレームを出力する。
【００１６】
オーディオデコード部８は、ＤＡＢデコード部６から出力される復号データ（ＭＰＥＧオーディオデータ）を元に戻す伸長処理を行い、伸長したＰＣＭオーディオデータを出力する。Ｄ／Ａ変換器１０は、オーディオデコード部８から出力されたＰＣＭオーディオデータをアナログ信号に変換して出力する。このアナログの音声信号は、アンプ１２によって増幅されて、スピーカ１４から出力される。
【００１７】
制御部１６は、フロントエンド部４による周波数同調制御やＤＡＢデコード部６に対する番組指定を行うことによりＤＡＢ受信機１の全体を制御する。また、制御部１６は、受信中の番組を異なるアンサンブルに含まれる番組に切り替える場合に、切り替え動作が終了するまでの間（新たな番組の受信を開始するまでの間）、利用者が操作部２０を操作して番組切り替えを指示してもその指示を受け付けないように制御する。また、制御部１６は、アンサンブルの切り替え時に鳴らすブザー１８を制御する。
【００１８】
操作部２０は、利用者によって番組切り替え指示等を行うための各種操作キーを備えており、利用者による操作キーの操作状況を制御部１６に送る。表示部２２は、現在受信している番組の簡単な内容表示や利用者による操作部２０の操作状況を表示する。
【００１９】
上述した操作部２０が番組切替指示手段および周波数切替指示手段に、フロントエンド部４、ＤＡＢデコード部６、オーディオデコード部８および制御部１６が番組受信手段に、制御部１６が指示受付制限手段に、制御部１６およびブザー１８が切り替え情報出力手段にそれぞれ対応している。
【００２０】
図２は、ＤＡＢ受信機１において採用されるモードＩＩのフレーム構造を示す図である。１フレーム長は、２４ｍｓであり、２シンボルの同期信号ＳＹＮＣと、３シンボルの高速情報チャネルＦＩＣと、７２シンボルのデータフィールドＤＦＬで構成されている。同期信号ＳＹＮＣは、フレームの開始点を認識するために使用するヌルシンボルと位相基準シンボルＰＲＳを含んでいる。
【００２１】
高速情報チャネルＦＩＣは、３つの高速情報ブロックＦＩＢから構成されている。また、データフィールドＤＦＬは７２個のデータフィールドに区分され、それぞれのデータフィールドに所定のサービス、アナウンスメントの放送信号が挿入されており、１つの放送波から同時に６〜８サービスを受信できるようになっている。どのデータフィールドにどのサービスが対応するかは、高速情報チャネルＦＩＣに含まれるサービスの配列データで指定される。
【００２２】
高速情報ブロックＦＩＢは、複数の高速情報グループＦＩＧから構成されている。各高速情報グループＦＩＧは、ＦＩＧヘッダとＦＩＧデータフィールドから構成されている。ＦＩＧヘッダは、ＦＩＧデータフィールドに含まれるデータのタイプを示す「ＦＩＧタイプ」と、ＦＩＧデータフィールドのバイト長を示す「長さ」とからなっている。また、ＦＩＧデータフィールドの先頭の１バイトは、ＦＩＧタイプ毎に異なる内容を有しており、その一部にエクステンションが含まれている。
【００２３】
例えば、タイプ０フィールドの場合には、ＦＩＧデータフィールドの先頭１バイトには、上位から順に、Ｃ／Ｎ（Current/Next）フラグ、ＯＥ（Other Ensemble）フラグ、Ｐ／Ｄフラグ、エクステンションが含まれている。ＦＩＧタイプとエクステンションとによって、ＦＩＧデータフィールドに含まれる詳細なデータの内容が規定される。以下では、例えばＦＩＧタイプ０フィールドのエクステンション３に対応したデータフィールドをＦＩＧ（０／３）と表すこととする。
【００２４】
ＦＩＧデータフィールドの先頭の１バイトを除く領域には、ＦＩＧタイプとエクステンションによって特定される各種のデータが含まれており、このデータを読み出すことにより、各種の受信制御を行うことができる。例えば、ＦＩＧ（０／１７）には多重化された各サービスに対応したプログラムタイプＰＴｙが含まれている。また、ＦＩＧ（０／２）とＦＩＧ（０／３）には各アンサンブル内のサービスリストが、ＦＩＧ（０／３）にはサービス識別コードＳＩｄが、ＦＩＧ（０／５）には使用している言語コードが、ＦＩＧ（１／０）とＦＩＧ（１／１）には番組受信中に表示部２２に表示する各アンサンブル名やサービス名に対応したテキストデータが含まれている。
【００２５】
本実施形態のＤＡＢ受信機１はこのような構成を有しており、次にその動作を説明する。
【００２６】
図３は、本実施形態のＤＡＢ受信機１による番組切り替え時の動作手順を示す流れ図であり、制御部１６の制御による受信番組切り替え時の動作が示されている。なお、現在いずれかの番組が受信されており、その後操作部２０の「アップ」キーあるいは「ダウン」キーが押下されて、所定の順番で番組の切り替えが行われるものとする。また、番組切り替えは、ＦＩＧ（０／３）に含まれているサービス識別ＳＩｄの順番に従うものとする。
【００２７】
制御部１６は、操作部２０に備えられている「アップ」キーまたは「ダウン」キーが押下されたか否かを常時監視しており、いずれかのキーが押下されて番組の切り替えが指示されたか否かを判定する（ステップ１００）。いずれかのキーが押下されると、制御部１６は、切り替えようとする次の番組が同一アンサンブル内にあるか否かを判定する（ステップ１０１）。具体的には、制御部１６は、ＦＩＧ（０／２）とＦＩＧ（０／３）とに基づいて、受信中のアンサンブルに多重化されている番組一覧であるサービスリストを抽出するとともに、このサービスリストに含まれる各番組のサービス識別ＳＩｄを読み出し、これらの各番組に対応したサービス識別ＳＩｄと現在受信している番組に対応するサービス識別ＳＩｄとを比較する。例えば、操作部２０の「アップ」キーが押下された場合には、制御部１６は、現在受信している番組のサービス識別ＳＩｄよりも大きな値のサービス識別ＳＩｄに対応した他の番組があるかどうかを調べ、該当する番組がある場合には、切り替えようとする次の番組が同一アンサンブル内に存在すると判断する。反対に、操作部２０の「ダウン」キーが押下された場合には、制御部１６は、現在受信している番組のサービス識別ＳＩｄよりも小さな値のサービス識別ＳＩｄに対応した他の番組があるかどうかを調べ、該当する番組がある場合には、切り替えようとする次の番組が同一アンサンブル内に存在すると判断する。
【００２８】
切り替えようとする他の番組が同一アンサンブル内にある場合には、制御部１６は、操作部２０の「アップ」キーあるいは「ダウン」キーの操作に対応して受信中の番組の切り替えを行う（ステップ１０２）。例えば、操作部２０の「アップ」キーが押下されて番組の切り替えが指示された場合には、制御部１６は、ＤＡＢデコード部６に対して、現在受信している番組のサービス識別ＳＩｄの次に大きなサービス識別ＳＩｄを有する番組を多重化データの中から分離する指示を送る。ＤＡＢデコード部６は、制御部１６から送られてくる指示に応じて、データフィールドＤＦＬに含まれる多重化データの中から、指定されたサービス識別ＳＩｄに対応する番組の音声データ（ＭＰＥＧオーディオデータ）を抽出する。この抽出された音声データは、オーディオデコード部８によってＰＣＭオーディオデータに変換され、さらにＤ／Ａ変換器１０によってアナログ信号に変換され、スピーカ１４から出力される。このようにして受信中の番組の切り替え動作が行われる。
【００２９】
一方、切り替えようとする他の番組が同一アンサンブル内にない場合には、制御部１６は、利用者からの新たな番組切り替え指示の受付を停止するとともに（ステップ１０３）、操作部２０の「アップ」キーあるいは「ダウン」キーの操作状態に対応してアンサンブルの切り替え動作を開始し（ステップ１０４）、切り替え動作が終了したか否かを監視する（ステップ１０５）。例えば、操作部２０の「アップ」キーが押下されて番組の切り替えが指示された場合には、制御部１６は、フロントエンド部４に対してアンサンブルの切り替え指示を出して、搬送波周波数の切り替え動作を開始し、フロントエンド部４から出力される受信電界強度信号を監視して新たな搬送波周波数に対応したアンサンブルの切り替えが終了したか否かを判定する。
【００３０】
アンサンブルの切り替え動作が終了すると、制御部１６は、受信番組をこの切り替えたアンサンブルに含まれる所定の番組に切り替える。（ステップ１０６）。具体的には、制御部１６は、ＤＡＢデコード部６に対して、切り替えたアンサンブルに含まれる複数の番組の中から最もサービス識別ＳＩｄが小さな番組を分離する指示を送る。ＤＡＢデコード部６は、制御部１６から送られてくる指示に応じて、データフィールドＤＦＬに含まれる多重化データの中から指定されたサービス識別ＳＩｄに対応する番組の音声データ（ＭＰＥＧオーディオデータ）を抽出する。この抽出された音声データは、オーディオデコード部６によってＰＣＭオーディオデータに変換され、さらにＤ／Ａ変換器１０によってアナログ信号に変換され、スピーカ１４から出力される。このようにして異なるアンサンブル間の受信番組の切り替え動作が行われる。
【００３１】
次に、制御部１６は、ステップ１０３で行った番組切り替えの指示の受付停止を解除して（ステップ１０７）、再び、番組の切り替えが指示されたか否かの判定（ステップ１００）以降の動作を行う。
【００３２】
図４は、ＤＡＢ受信機１の番組切り替え動作の一例を示す図である。同図に示すように、アンサンブル１には番組１〜５、アンサンブル２には番組６〜８、アンサンブル３には番組９〜１２が多重化されており、また、サービス識別ＳＩｄは、各アンサンブル内で番組１→５、番組６→８、番組９→１２の順に大きくなるものとする。例えば、アンサンブル１の番組１を受信中に操作部２０の「アップ」キーが押下されると、制御部１６は、番組切り替えの指示の受付を停止することなく短時間で番組２へ切り替えるが、アンサンブル１の番組５を受信中に利用者によって操作部２０の「アップ」キーが押下された場合には、搬送波周波数を切り替えてアンサンブル２の番組６に切り替わるまでの間は、利用者が新たに操作部２０の「アップ」キーを押下して番組切り替えを指示しても、その指示に対応する番組切り替え動作を行わない。
【００３３】
このように、本実施形態のＤＡＢ受信機１は、操作部２０に備わった「アップ」キーまたは「ダウン」キーが利用者によって押下されて受信番組の切り替え指示がなされたときに、現在受信中の番組が含まれるアンサンブルと異なるアンサンブルに含まれる他の番組に切り替える場合には、搬送波周波数を切り替えて新たなアンサンブルに含まれる番組を認識するまでに所定の時間（例えば２〜３秒）がかかることを考慮して、番組の切り替え動作が終了するまでの間、利用者による新たな番組切り替え指示を受け付けないようにしている。したがって、切り替え先の搬送波周波数に対応した新たなアンサンブルに含まれる番組を認識する前に再度の切り替え指示がなされて、さらに次のアンサンブルに切り替わってしまうといったことがないため、利用者は、受信可能な全てのアンサンブルに含まれる番組の内容を確認することができ、所望の番組を確実に受信することが可能となる。
【００３４】
ところで、図３に示した動作手順では、異なるアンサンブルの番組に切り替える場合に、原則的にこの切り替え動作が終了するまでの間は利用者による番組切り替え指示を受け付けないようにしたが、異なるアンサンブルの番組への切り替え動作中であることをブザー等を鳴らして知らせた後に、繰り返し番組切り替え指示がなされる場合には、従来のように搬送波周波数を切り替えてアンサンブルの切り替え動作を行うようにしてもよい。
【００３５】
図５は、本実施形態のＤＡＢ受信機１による番組切り替え動作の変形例を示す流れ図である。同図に示す示すステップ２００〜２０４の動作は、図３に示したステップ１００〜１０４の動作に対応しており、ステップ２０４においてアンサンブルの切り替え動作が開始された後の動作を説明する。
【００３６】
制御部１６は、アンサンブルの切り替え動作の開始タイミングに合わせてブザー１８を鳴らした後に（ステップ２０５）、操作部２０に備わった「アップ」キーまたは「ダウン」キーが押下されて番組の切り替えが指示されたか否かを判定する（ステップ２０６）。
【００３７】
いずれかのキーが押下されて番組切り替えが指示された場合（１回目の番組切り替えが指示された場合）には、制御部１６は、この指示に応じた番組の切り替え動作は行わずに、その番組切り替え指示がなされた時点から所定時間（例えば０．５秒）経過前に２回目の番組切り替え指示がなされたか否かを判定する（ステップ２０７）。所定時間内に再び番組切り替えの指示がなされた場合には、制御部１６は、次のアンサンブルへの切り替え動作を開始する（ステップ２０８）。例えば、図４に示す順番で番組切り替え動作が行われる場合において、アンサンブル１に含まれる番組５を受信中に利用者によって番組切り替えが指示された場合には、アンサンブル１からアンサンブル２への切り替え動作が開始されるが、その後、番組切り替えが指示が所定時間内に２回繰り返し行われると、ステップ２０８において、さらにアンサンブル２からアンサンブル３への切り替え動作が開始される。アンサンブル３への切り替え動作が開始されると、再びブザー音出力（ステップ２０５）以降の動作が繰り返される。
【００３８】
また、１回目の番組切り替え指示がなされた後に所定時間内に２回目の番組切り替え指示がなされない場合（ステップ２０７で否定判断された場合）には、制御部１６は、アンサンブルの切り替え動作が終了したか否かを判定し（ステップ２０９）、切り替え動作が終了するまでこの判定動作を繰り返す。
【００３９】
また、ステップ２０５においてブザー音が出力された後に１回目の番組切り替え指示がなされない場合（ステップ２０６で否定判断された場合）には、制御部１６は、アンサンブル切り替え動作が終了したか否かを判定し（ステップ２１０）、切り替え動作が終了していない場合には１回目の番組切り替え指示ありか否かの判定（ステップ２０６）以降の動作が繰り返される。
【００４０】
アンサンブルの切り替えが終了した場合には、制御部１６は、番組切り替え（ステップ２１１）および番組切り替え指示の受付停止の解除（ステップ２１２）を行う。
【００４１】
このように、本実施形態のＤＡＢ受信機１は、番組の切り替えが指示されたときに、現在受信中の番組が含まれるアンサンブルと異なるアンサンブルに含まれる他の番組に切り替える場合には、アンサンブルの切り替え動作を開始するとともに、その旨をブザー音によって利用者に伝え、その後の所定時間以内に利用者から２回続けて番組切り替えが指示された場合には、さらに次のアンサンブルへの切り替え動作を開始する。したがって、あらかじめ所望の番組がどのアンサンブルに含まれているかを知っているような場合には、利用者は、ブザー音がなった後に２回続けて番組切り替えを指示することにより、連続的にアンサンブルを切り替えることができるため、所望の番組を迅速に選択してその内容を聴取することが可能となる。また、２回連続して番組切り替え指示をした場合に限りアンサンブルが切り替わるため、操作ミス等によって誤ってアンサンブルが切り替わることを防止することができる。
【００４２】
図５に示した動作手順では、異なるアンサンブルの番組に切り替える場合に、原則的にこの切り替え動作が終了するまでの間は利用者による番組切り替え指示を受け付けないが、異なるアンサンブルの番組への切り替え動作中であることをブザーを鳴らすことによって利用者に知らせた後に再度番組切り替え指示がなされた場合には、従来のように搬送波周波数を切り替えてアンサンブルの切り替え動作を行うようにしたが、利用者が所定のキー操作を行ったときに従来のようなアンサンブルの切り替え動作を行うようにしてもよい。
【００４３】
図６は、本実施形態のＤＡＢ受信機１による番組切り替え動作の他の変形例を示す流れ図である。なお、操作部２０には、利用者によってアンサンブルの切り替えを指示するための「アンサンブル切替」キーが備わっているものとする。また、図６に示すステップ３００〜３０４の動作は、図３に示したステップ１００〜１０４の動作に対応しており、ステップ３０４においてアンサンブルの切り替え動作が開始された後の動作を説明する。
【００４４】
制御部１６は、操作部２０に備わった「アンサンブル切替」キーが押下されてアンサンブルの切り替えが指示されたか否かを判定する（ステップ３０５）。アンサンブルの切り替えが指示されている場合には、次に制御部１６は、その指示に従って次のアンサンブルへの切り替え動作を開始する（ステップ３０６）。
【００４５】
例えば、図４に示す順番で番組切り替え動作が行われる場合において、アンサンブル１に含まれる番組５を受信中に利用者によって番組切り替えが指示された場合には、アンサンブル１からアンサンブル２への切り替え動作が開始されるが（ステップ３０４）、さらに操作部２０の「アンサンブル切替」キーが押下されて次のアンサンブルへの切り替えが指示された場合（ステップ３０５での肯定判断）には、ステップ３０６において、さらにアンサンブル２からアンサンブル３への切り替え動作が開始される。アンサンブル３への切り替え動作が開始されると、制御部１６は、再びアンサンブルの切り替えが指示されたか否かの判定（ステップ３０５）を行う。
【００４６】
また、アンサンブルの切り替えが指示されない場合には（ステップ３０５で否定判断された場合）、制御部１６は、アンサンブルの切り替え動作が終了したか否かを判定し（ステップ３０７）、切り替え動作が終了した場合には、番組切り替え（ステップ３０８）および番組切り替え指示の受付停止の解除（ステップ３０９）を行う。また、アンサンブルの切り替え動作が終了していない場合（ステップ３０７で否定判断された場合）には、制御部１６は、再びアンサンブルの切り替えが指示されたか否かの判定（ステップ３０５）以降の動作を行う。
【００４７】
このように、本実施形態のＤＡＢ受信機１は、番組の切り替え指示がなされたときに、現在受信中の番組が含まれるアンサンブルと異なるアンサンブルに含まれる他の番組に切り替える場合には、番組が切り替わるまでの間、利用者からの新たな番組切り替えの指示を受け付けないが、「アンサンブル切替」キーが押下された場合には、さらに別のアンサンブルへ切り替える動作を行う。したがって、あらかじめ所望の番組がどのアンサンブルに含まれているかを知っているような場合には、利用者は、アンサンブルの切り替え動作中にさらに次のアンサンブルの切り替えを指示することによって、連続的にアンサンブルを切り替えることができるため、所望の番組を迅速に選択してその内容を聴取することが可能となる。
【００４８】
なお、本発明は、上記実施形態に限定されるものではなく、本発明の要旨の範囲内で種々の変形実施が可能である。例えば、上述した実施形態では、アンサンブルが切り替わる場合に、切り替え先のアンサンブルに含まれるいずれかの番組に切り替わるまで新たな番組切り替え指示の受付を停止したが、この受付が停止されている間に番組切り替え指示がなされた回数、すなわち、操作部２０の「アップ」キーや「ダウン」キーが押下された回数を制御部１６が記憶しておき、アンサンブルが切り替わった後に、その記憶した回数分だけ番組切り替え動作やアンサンブルの切り替え動作を行うようにしてもよい。
【００４９】
また、上述した実施形態では、操作部２０に「アップ」キーと「ダウン」キーを備えておいて、それらが押下されたときに、同一アンサンブル内に多重化された番組についてはサービス識別コードＳＩｄを値の大小の順に切り替えるようにしたが、番組切り替え指示を行うために操作されるキーの種類や、同一アンサンブル内で切り替わる番組の順番は適宜変更することができる。
【００５０】
また、図５に示した動作手順では、アンサンブル切り替えの際にブザー１８を鳴らすようにしたが、アンサンブルの切り替えを利用者に知らせることができれば、出力される音声は他でもよく、例えば「アンサンブル切り替え中です」等の案内音声をスピーカ１４から出力するようにしてもよい。
【００５１】
【発明の効果】
上述したように、本発明によれば、複数の搬送波のそれぞれに多重化された番組の中からいずれかを選択して受信番組の切り替えを行う際に、異なる搬送波周波数に含まれる番組間で切り替えを行う場合には、番組の切り替え動作が終了するまでの間、新たな番組切り替え指示の受け付けを制限している。したがって、異なる搬送波周波数間で受信番組が切り替わる際に、切り替え先の搬送波周波数に含まれる番組が識別される前に新たな番組の切り替え指示がなされて、さらに次の搬送波周波数に切り替わってしまうということがなく、利用者は各搬送波周波数に含まれる番組を確認した後に、所望の番組を確実に受信することができる。
【図面の簡単な説明】
【図１】本発明を適用した一実施形態のＤＡＢ受信機の構成を示す図である。
【図２】ＤＡＢ受信機で使用されるフレーム構造を示す図である。
【図３】ＤＡＢ受信機における番組切り替え動作の動作手順を示す流れ図である。
【図４】番組切り替え順番の一例を示す図である。
【図５】ＤＡＢ受信機における番組切り替え動作の変形例を示す流れ図である。
【図６】ＤＡＢ受信機における番組切り替え動作の他の変形例を示す流れ図である。
【図７】従来のＤＡＢ受信機の番組切り替え順番の一例を示す図である。
【符号の説明】
１  ＤＡＢ受信機
４  フロントエンド部
６  ＤＡＢデコード部
８  オーディオデコード部
１６  制御部
１８  ブザー
２０  操作部
２２  表示部
【図１】
0003645414.tif 000002
【図２】
0003645414.tif 000003
【図３】
0003645414.tif 000004
【図４】
0003645414.tif 000005
【図５】
0003645414.tif 000006
【図６】
0003645414.tif 000007
【図７】
0003645414.tif 000008